【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
（ｉ）（ａ）少なくとも１種のトリグリセリド、および／または
（ｂ）式Ｒ−ＣＯ２Ｈ（式中、ＲはＣ３〜Ｃ３０アルキル基である。）の少なくとも１種の脂肪酸
を含む極性の油または脂肪と、
（ｉｉ）少なくとも１種のホモポリマーおよび／またはコポリマーを含むベースポリマーと
を含み、
前記極性の油または脂肪がココヤシ油であり、
ポリイソブチレンを含有しない、皮膚に適用できる接着剤組成物。
【請求項２】
少なくとも１種の粘着付与剤をさらに含む、請求項１に記載の接着剤組成物。
【請求項３】
前記粘着付与剤が、天然ロジン、改質ロジン、天然ロジンのグリセロールエステル、改質ロジンのグリセロールエステル、天然ロジンのペンタエリトリトールエステル、改質ロジンのペンタエリトリトールエステル、フェノール改質テルペン樹脂、脂肪族石油炭化水素樹脂および脂環式樹脂からなる群から選択される、請求項２に記載の接着剤組成物。
【請求項４】
前記ベースポリマーが、少なくとも２種の不混和性モノマーを含む、請求項１に記載の接着剤組成物。
【請求項５】
親水性流体吸収性ガムまたはゲル増粘剤をさらに含み、前記ガムまたはゲル増粘剤がカチオン性、アニオン性または非イオン性である、請求項１に記載の接着剤組成物。
【請求項６】
前記ゲル増粘剤が水溶性もしくは水膨潤性の親水コロイドまたはその混合物である、請求項５に記載の接着剤組成物。
【請求項７】
前記ゲル増粘剤が、カルボキシメチルセルロース、ヒドロキシエチルセルロース（ＨＥＣ）、ヒドロキシプロピルセルロース（ＨＰＣ）、ペクチン、カラゲナンおよびゼラチンからなる群から選択される、請求項６に記載の接着剤組成物。
【請求項８】
ココヤシ油と、鉱油と、ベースポリマーとを含み、ポリイソブチレンを含有しない接着剤組成物を含む医用接着デバイス。
【請求項９】
前記接着剤組成物が少なくとも１種の粘着付与剤をさらに含む、請求項８に記載の接着デバイス。
【請求項１０】
前記粘着付与剤が、天然ロジン、改質ロジン、天然ロジンのグリセロールエステル、改質ロジンのグリセロールエステル、天然ロジンのペンタエリトリトールエステル、改質ロジンのペンタエリトリトールエステル、フェノール改質テルペン樹脂、脂肪族石油炭化水素樹脂および脂環式樹脂からなる群から選択される、請求項９に記載の接着デバイス。
【請求項１１】
前記ベースポリマーが、少なくとも２種の不混和性モノマーを含む、請求項８に記載の接着デバイス。
【請求項１２】
親水性流体吸収性ガムまたはゲル増粘剤をさらに含む、請求項１１に記載の接着デバイス。
【請求項１３】
前記ゲル増粘剤が水溶性もしくは水膨潤性の親水コロイドまたはその混合物である、請求項１２に記載の接着デバイス。
【請求項１４】
（ｉ）ココヤシ油と、
（ｉｉ）ベースポリマーと、
（ｉｉｉ）少なくとも１種の粘着付与剤と、
（ｉｖ）少なくとも１種の親水性流体吸収性ガムまたはゲル増粘剤と、
（ｖ）少なくとも１種の有益剤と
を含み、ポリイソブチレンを含有しない接着剤組成物を含む皮膚固定または経皮的薬剤送達接着マトリックス組成物。
【請求項１５】
（ｉ）ココヤシ油と、
（ｉｉ）ベースポリマーと、
（ｉｉｉ）少なくとも１種の粘着付与剤と、
（ｉｖ）少なくとも１種の親水性流体吸収性ガムまたはゲル増粘剤と、
（ｖ）少なくとも１種の有益剤と
を含み、ポリイソブチレンを含有しない造孔用接着剤組成物。
【請求項１６】
前記ゲル増粘剤がカルボキシメチルセルロースであり、カルボキシメチルセルロースが２５重量％〜３６重量％の範囲で存在する、請求項７に記載の接着剤組成物。
【手続補正２】
【補正対象書類名】明細書
【補正対象項目名】０１１６
【補正方法】変更
【補正の内容】
【０１１６】
本発明は、その精神または本質的特徴から逸脱せずに、いくつかの形態で具現化することができるので、本発明は、特に他に指定されない限り、上述の記述の細部によって何ら制約されず、むしろ、添付の特許請求範囲において定義されるその精神および範囲内で広く解釈されるべきであり、したがって全ての変更および修正は、特許請求範囲の境界線内にはいると理解されよう。したがって、本発明は、添付の特許請求範囲によって定義される。
本発明は以下の態様を包含し得る。
[１]  （ｉ）（ａ）少なくとも１種のトリグリセリド、および／または
（ｂ）式Ｒ−ＣＯ２Ｈ（式中、ＲはＣ３〜Ｃ３０アルキル基である。）の少なくとも１種の脂肪酸
を含む極性の油または脂肪と、
（ｉｉ）少なくとも１種のホモポリマーおよび／またはコポリマーを含むベースポリマーと
を含む、皮膚に適用できる接着剤組成物。
[２]  前記脂肪酸が、高度に飽和した植物油に由来している、上記[１]に記載の接着剤組成物。
[３]  前記植物油が、ココヤシ油である、上記[２]に記載の接着剤組成物。
[４]  前記植物油が、さらに改質した、精製した、未使用の、分留したまたは水素化した供給源から得られる、上記[２]に記載の接着剤組成物。
[５]  粘着付与剤をさらに含む、上記[１]に記載の接着剤組成物。
[６]  前記粘着付与剤が、天然ロジン、改質ロジン、天然ロジンのグリセロールエステル、改質ロジンのグリセロールエステル、天然ロジンのペンタエリトリトールエステル、改質ロジンのペンタエリトリトールエステル、フェノール改質テルペン樹脂、脂肪族石油炭化水素樹脂および脂環式樹脂からなる群から選択される、上記[５]に記載の接着剤組成物。
[７]  合成油をさらに含む、上記[１]に記載の接着剤組成物。
[８]  前記合成油が鉱油またはシリコーン油である、上記[７]に記載の接着剤組成物。
[９]  前記コポリマーが、少なくとも２種の不混和性モノマーを含む、上記[１]に記載の接着剤組成物。
[１０]  親水性流体吸収性ガムまたはゲル増粘剤をさらに含み、前記ガムまたはゲル増粘剤がカチオン性、アニオン性または非イオン性である、上記[１]に記載の接着剤組成物。
[１１]  前記ゲル増粘剤が水溶性もしくは水膨潤性の親水コロイドまたはその混合物である、上記[１０]に記載の接着剤組成物。
[１２]  前記ゲル増粘剤が、カルボキシメチルセルロース、ヒドロキシエチルセルロース（ＨＥＣ）、ヒドロキシプロピルセルロース（ＨＰＣ）、ペクチン、カラゲナンおよびゼラチンからなる群から選択される、上記[１１]に記載の接着剤組成物。
[１３]  （ｉ）（ａ）少なくとも１種のトリグリセリド、および／または
（ｂ）式Ｒ−ＣＯ２Ｈ（式中、ＲはＣ３〜Ｃ３０アルキル基である。）の少なくとも１種の脂肪酸
を含む極性の油または脂肪と、
（ｉｉ）少なくとも１種のホモポリマーおよび／またはコポリマーと
を含む接着剤組成物を含む医用接着デバイス。
[１４]  前記接着剤組成物が粘着付与剤をさらに含む、上記[１３]に記載の接着デバイス。
[１５]  前記粘着付与剤が、天然ロジン、改質ロジン、天然ロジンのグリセロールエステル、改質ロジンのグリセロールエステル、天然ロジンのペンタエリトリトールエステル、改質ロジンのペンタエリトリトールエステル、フェノール改質テルペン樹脂、脂肪族石油炭化水素樹脂および脂環式樹脂からなる群から選択される、上記[１４]に記載の接着デバイス。
[１６]  前記接着剤組成物が合成油をさらに含む、上記[１４]に記載の接着デバイス。
[１７]  前記合成油が鉱油またはシリコーン油である、上記[１６]に記載の接着デバイス。
[１８]  前記コポリマーが、少なくとも２種の不混和性モノマーを含む、上記[１３]に記載の接着デバイス。
[１９]  親水性流体吸収性ガムまたはゲル増粘剤をさらに含む、上記[１８]に記載の接着デバイス。
[２０]  前記ゲル増粘剤が水溶性もしくは水膨潤性の親水コロイドまたはその混合物である、上記[１９]に記載の接着デバイス。
[２１]  （ｉ）（ａ）少なくとも１種のトリグリセリド、および／または
（ｂ）式Ｒ−ＣＯ２Ｈ（式中、ＲはＣ３〜Ｃ３０アルキル基である。）の少なくとも１種の脂肪酸
を含む極性の油または脂肪と、
（ｉｉ）少なくとも１種のホモポリマーおよび／またはコポリマーと、
（ｉｉｉ）少なくとも１種の粘着付与剤と、
（ｉｖ）少なくとも１種の親水性流体吸収性ガムまたはゲル増粘剤と、
（ｖ）少なくとも１種の有益剤と
を含む接着剤組成物を含む皮膚固定または経皮的薬剤送達接着マトリックス組成物。
[２２]  （ｉ）（ａ）少なくとも１種のトリグリセリド、および／または
（ｂ）式Ｒ−ＣＯ２Ｈ（式中、ＲはＣ３〜Ｃ３０アルキル基である。）の少なくとも１種の脂肪酸
を含む極性の油または脂肪と、
（ｉｉ）少なくとも１種のホモポリマーおよび／またはコポリマーと、
（ｉｉｉ）少なくとも１種の粘着付与剤と、
（ｉｖ）少なくとも１種の親水性流体吸収性ガムまたはゲル増粘剤と、
（ｖ）少なくとも１種の有益剤と
を含み、全体のトリグリセリド含量が、組成物の１重量％〜２５重量％の範囲内にある造孔用接着剤組成物。